(57)【特許請求の範囲】
【請求項１】
略平板状の座板の両側部に取り付けられて座板を支持する座板支持部材の一端を壁面に取付けられる基板の上方に枢支連結し、他端をフロント板兼用脚部材の上方部に枢支連結すると共に、前記一対の座板支持部材の下方に位置する一対の横桟部材の一端を前記基板の下方に枢支連結し、他端を前記フロント板兼用脚部材に枢支連結するものであって、
前記フロント板兼用脚部材における横桟部材を枢支連結する軸の前記フロント板兼用脚部材の前面からの高さが、前記フロント板兼用脚部材における座板支持部材を枢支連結する軸の前記フロント板兼用脚部材の前面からの高さより低く、
当該折り畳み椅子の収納状態及び回動状態において、前記座板支持部材と前記横桟部材とは互いに平行ではなく、
展開状態において、前記基板と前記フロント板兼用脚部材は平行であり、
且つ収納状態において、前記横桟部材の上方の枢支連結部の中心位置は、前記座板支持部材の両枢支連結部間を結ぶ中心線より前方側にあることを特徴とする壁付け用折り畳み椅子。
【請求項２】
前記フロント板兼用脚部材の下面に耐腐食性の幅木を付設したことを特徴とする請求項１記載の壁付け用折り畳み椅子。
【請求項３】
前記フロント板兼用脚部材の下面両側部に高さ調整機能を設けたことを特徴とする請求項１又は２記載の壁付け用折り畳み椅子。
【請求項４】
展開状態において、前記基板の上下の両枢支連結部（１５,１６）を結んだ線と、前記フロント板兼用脚部材の上下の両枢支連結部（６１,６２）を結んだ線は互いに平行ではないことを特徴とする請求項１〜３のいずれか１項に記載の壁付け用折り畳み椅子。
【請求項５】
前記横桟部材における前後の両枢支連結部（１６,６２）間は、前記座板支持部材における両枢支連結部（１５,６１）間より長いものであることを特徴とする請求項１〜４のいずれか１項に記載の壁付け用折り畳み椅子。
【発明の詳細な説明】
【０００１】
【発明の属する技術分野】
本発明は、マンション、家屋などの玄関、廊下及び台所などの壁に後付けで付設できる壁付け用折り畳み椅子に関するものである。
【０００２】
【従来の技術】
人はマンション、家屋などの玄関先で靴を脱いだり履いたりする際、玄関先で座ったり、屈み込み姿勢をとったりする。このような動作は高齢者などには負担がかかるものであり、改善が望まれている。
【０００３】
このような要望を満たすものとして、特開２０００−６０６７４号公報には、平行な一対の縦柱部材を有する枠体と、前記一対の縦柱部材間に一端側を枢支連結し、上下方向に回動自在とした座板と、該座板の裏面側且つ回動自由端側に上端部分を枢支連結した一対の脚部材と、一端側を前記枠体側に枢支連結し、他端側を前記一対の脚部材に枢支連結し、前記座板と常時平行を維持する一対の横桟部材とからなる壁備付け用折り畳み椅子が開示されている。このような構成を採る壁備付け用折り畳み椅子は、例えば、玄関に装着し、靴を履いたり、脱いだりする作業を行い易くするのに好適で、且つ非常時には玄関壁面に収容し、玄関スペースを最大限に利用することができる点で都合がよい。
【０００４】
【発明が解決しようとする課題】
しかしながら、図６に示すように、前記の壁備付け用折り畳み椅子５０は、マンションや家屋施工当初より、壁に枠体収納用の壁穴５５を設置しておく必要があり、既存のマンションや家屋玄関などに後付けするには不向きである。また、図６（Ａ）の収納状態において、水平方向に配置される二つのリンク５１、５２のうち、下方のリンク５２の上方側枢支連結部５３の中心より下方向（図６中、Ｂ側）に把手がある場合、可動部はパンタグラフ状の平行リンクであるため、座板を手前に引き出す操作は正常に行われ、図６（Ｂ）に示すような椅子に展開できるものの、図中、Ａ側に把手がある場合、座板の正常な引き出しが行われない場合がある。これは、平行リンク自体回転するため、軸と軸穴に僅かな遊びが必要となり、Ａ側にある把手を手前に引くと、上部リンク５１が下部リンク５２よりリンク軸の遊びの分早く動いてしまい、リンク同士の平行が崩れて遊びが無くなった時点で動かなくなることに起因するものである。このような問題は、軸と軸穴の精度を高めて、遊びを極力零にすることで解決できるものの、製作コストが嵩み実際的ではない。
【０００５】
従って、本発明の目的は、フロント板兼用脚部材のいずれの場所に把手を設置しても、該把手を手前に引くことで正常な動作を確実に行うことができると共に、既設マンションや家屋の玄関などの壁に後付け可能な壁付け用折り畳み椅子を提供することにある。
【０００６】
【課題を解決するための手段】
かかる実情において、本発明者は鋭意検討を行った結果、壁又は壁に付設される支持部材に基板を取付け、該基板を固定リンクとし、他の３つのリンク、すなわち、座板支持部材、横桟部材及びフロント板兼用脚部材を可動リンクとし、座板支持部材と横桟部材とは互いに平行ではなく、且つ収納状態において、横桟部材の上方の枢支連結部の中心位置は、座板支持部材の両枢支連結部間を結ぶ中心線より前方側にあるような構成の壁付け用折り畳み椅子とすれば、フロント板兼用脚部材のいずれの場所に把手を設置しても、該把手を手前に引くことで正常な動作を確実に行うことができ、且つ既設マンションや家屋の玄関などの壁に後付け可能であることなどを見出し、本発明を完成するに至った。
【０００７】
すなわち、請求項１記載の発明は、略平板状の座板の両側部に取り付けられて座板を支持する座板支持部材の一端を壁面に取付けられる基板の上方に枢支連結し、他端をフロント板兼用脚部材の上方部に枢支連結すると共に、前記一対の座板支持部材の下方に位置する一対の横桟部材の一端を前記基板の下方に枢支連結し、他端を前記フロント板兼用脚部材に枢支連結するものであって、前記フロント板兼用脚部材における横桟部材を枢支連結する軸の前記フロント板兼用脚部材の前面からの高さが、前記フロント板兼用脚部材における座板支持部材を枢支連結する軸の前記フロント板兼用脚部材の前面からの高さより低く、当該折り畳み椅子の収納状態及び回動状態において、前記座板支持部材と前記横桟部材とは互いに平行ではなく、展開状態において、前記基板と前記フロント板兼用脚部材は平行であり、且つ収納状態において、前記横桟部材の上方の枢支連結部の中心位置は、前記座板支持部材の両枢支連結部間を結ぶ中心線より前方側にある壁付け用折り畳み椅子を提供するものである。かかる構成を採ることにより、基板は既設の平面状の壁などに着脱自在又は着脱不能に取付けできるから、既設マンションや家屋の玄関などの壁に後付け設置が可能である。また、収納状態において、動きの悪い下方のリンクである横桟部材は上方のリンクである座板支持部材より手前側に予め傾斜しているから、フロント板兼用脚部材の把手の設置位置に関わらず、該把手を手前に引けば、必ず横桟部材が先に動きだし、リンクの動作が停止することはなく、確実に展開して椅子になる。この椅子として使用できる状態において、基板とフロント板兼用脚部材とは平行であり、安定である。
【０００８】
また、請求項２記載の発明は、前記フロント板兼用脚部材の下面に耐腐食性の幅木を付設した壁付け用折り畳み椅子を提供するものである。かかる構成を採ることにより、フロント板兼用脚部材が木製であっても、水などで濡れることが多い玄関の床面と接するのはステンレス製の幅木であり、フロント板兼用脚部材の耐久性を高めることができる。
【０００９】
また、請求項３記載の発明は、前記フロント板兼用脚部材の下面両側部に高さ調整機能を設けた壁付け用折り畳み椅子を提供するものである。かかる構成を採ることにより、フロント板兼用脚部材の微小な高さ調整が可能となる。
【００１０】
【発明の実施の形態】
本発明の実施の形態における壁付け用折り畳み椅子について、図１〜図５を参照して説明する。図１（Ａ）は壁付け用折り畳み椅子を展開し人が座れる状態にした図、（Ｂ）は折り畳み状態を示す図、図２は壁付け用折り畳み椅子の主要部品の分解図、図３（Ａ）〜（Ｃ）は収納状態から使用状態までの各部材の動きを説明する図、図４は図３の各リンクの関係を説明する図、図５は壁面への他の設置形態を説明する図である。
【００１１】
本実施の形態例の壁付け用折り畳み椅子１０は、基板１と、座板５と座板支持部材２、２からなる座板部２Ａと、横桟部材３、３と、フロント板兼用脚部材６の４部材を主構成部材とし、これら４つの部材は非平行リンク機構を形成する。但し、展開後の椅子の状態では基板である固定リンクとこれに対向するフロント板兼用脚部材６とは平行となる。
【００１２】
基板１は箱状の横置き形態で、両側面上方には座板支持部材２、２が枢支連結される軸穴１５、１５と、両側面下方には横桟部材３、３が枢支連結される軸１６、１６が形成され、表側面上方にはねじり型ダンパー１３、１３を固定するネジ穴１ｂ、１ｂが、表側面の両側には基板１を支持部材１１に固定する４個のネジ穴１ａがそれぞれ形成されている。
【００１３】
座板部２Ａは座板５と、座板５の両側部に取付けられて座板を支持する座板支持部材２、２とからなる。座板部２Ａは座板支持部材２、２の一端側の枢支連結穴２ａ、２ａを基板１の軸穴１５、１５に貫通して突出するねじり型ダンパー１３の軸１３ａ、１３ａに固定することにより基板１に枢支連結される。ねじり型ダンパー１３、１３は金具１４、１４で基板１の裏面に固定される。ねじり型ダンパー１３は座板５が上方に回動する場合は負荷なしで行わせ、下方に回動する場合に負荷が掛り座板５の回動速度を減少させるものである。次に、座板支持部材２、２の他端側の軸穴２ｂ、２ｂをフロント板兼用脚部材６の上方側に形成された取付部材の第１軸６１に枢支連結する。なお、座板５の中央の３つの穴５ａは収納状態において、支持部材上方にある左右のネジ１ｃ及び中央のラッチ１１３との接触を避けるために設けたものである。
【００１４】
横桟部材３、３は位置固定部材１２に固定され、且つ横桟部材の一端部の軸穴３ａ、３ａを基板の軸１６、１６に枢支連結し、横桟部材の他端部の軸穴３ｂ、３ｂをフロント板兼用脚部材６の取付部材の第２軸６２に枢支連結して設置される。この座板支持部材２、２の取付部材の第１軸６１への連結及び横桟部材３、３の取付部材の第２軸６２への連結は、図４（Ｂ）に示すように、椅子使用状態において、フロント板兼用脚部材６の第２軸６２の設置高さが、第１軸６１の設置高さに比べてｍ寸法分低い、すなわち、横桟部材３、３は座板支持部材２、２よりｍ寸法分長くなるように行う。また、第１軸６１と第２軸６２間の長さは、基板１の軸穴１５と軸１６間の長さよりｎ寸法分短くなるように行う。このため、収納状態では、横桟部材３、３の上方の枢支連結部（第２軸６２）の中心位置は、座板支持部材２の両枢支連結部１５、６１間を結ぶ中心線より前方側にある。すなわち、横桟部材３は座板支持部材２に対して、角度α分前方へ傾斜している（図４（Ａ））。
【００１５】
フロント板兼用脚部材６は箱状の縦置き形態で、下方は強度がいるため肉厚としている。フロント板兼用脚部材６の表側面の上方中央には把手８を形成している。また、下側面にはステンレス製や樹脂製の耐腐食性の幅木９を付設し、フロント板兼用脚部材６が木製であっても、水などで濡れることが多い玄関の床面との接触を防止して、フロント板兼用脚部材の耐久性を高めている。また、耐腐食性の幅木９の下面両側部に高さ調整用アジャスター１８、１８を設け、フロント板兼用脚部材６の高さ調整を可能にしている。
【００１６】
このように形成された非平行リンク機構の構造体を、壁７の基板支持部材１１に取り付ける。基板支持部材１１は壁７に固定されると共に、基板１を固定するものである。支持部材１１は基板１が取付けられる鍔を有する凸状の取付部１１２と、取付部１１２に連続する平板状の壁取付け部１１１とからなる。壁への固定は壁取付け部１１１に形成される２個のビス穴１ｃと、取付部１１２の鍔に形成される４個のビス穴１ｅが使用され、基板１の固定は凸状の取付部１１２に形成される４個のビス穴１ｄが使用される。
【００１７】
次に、本実施の形態例の壁付け用折り畳み椅子を使用する方法を図３及び図４を参照して説明する。当該壁付け用折り畳み椅子１０は、マンションや家屋の玄関などの壁７に後付けで設置される。このため、フロント板兼用脚部材６の厚み分が壁７から突出する（図３（Ａ））。次に、例えば人が椅子に腰を掛けて靴の紐を結びたい場合、フロント板兼用脚部材６の把手８を手前に引きだすと、収納状態において、動きの悪い下方のリンクである横桟部材３は上方のリンクである座板支持部材２より手前側に予め傾斜しているから、必ず横桟部材３が先に動きだし、座板支持部材２、２と横桟部材３、３は非平行状態を維持して回動しつつ、その自由端が降下する。そして、座板支持部材２、２と横桟部材３、３の自由端に枢支連結したフロント板兼用脚部材６は回動時、非垂直姿勢を保持しつつ回動する（図３（Ｂ））。ねじり型ダンパー１８の作用により回動速度は減じられ、フロント板兼用脚部材６の下面に取付けられた高さ調整用のアジャスター１８の下端が緩やかに床に着地した状態で、基板１とフロント板兼用脚部材６、及び座板部２Ａと床はそれぞれ平行となり安定する。従って、人はこの座板５に安心して腰掛けることができる（図３（Ｃ））。
【００１８】
次に、座板５の使用が終了した場合、フロント板兼用脚部材６の把手８を上方に持ち上げることにより、フロント板兼用脚部材６が上昇し、これにより、座板支持部材２、２と横桟部材３、３は非平行状態を維持して壁７の方向に回動していく。フロント板兼用脚部材６の壁７への固定は、基板支持部材１１の上方にあるラッチ１１３とフロント板兼用脚部材６の裏面に設けれた係合片（不図示）との係合により行われる。当該固定はその他、マグネットなどにによる係合方法などの公知の方法が採用できる。この状態では、横桟部材３の上方の枢支連結部６２の中心位置は、座板支持部材２の両枢支連結部１５、６１間を結ぶ中心線より前方側にあるように収納される。
【００１９】
次に、本実施の形態例における壁付け用折り畳み椅子の変形例を図５を参照して説明する。図５において、図１と異なる点は図１が既設の壁７に直接基板支持部材１１を取付けたのに対して、図５では既設の壁７に折り畳み椅子１０ａ全体が収納できる凹部３０を形成し、その後、凹部３０の中に折り畳み椅子１０ａを設置したものである。かかる構成を採ることにより、収納後は壁付け用折り畳み椅子の出っ張りが消え、玄関スペース等が広く採れると共に、外観がすっきりする。
【００２０】
【発明の効果】
請求項１の発明によれば、基板は既設の平面状の壁などに着脱自在又は着脱不能に取付けできるから、既設マンションや家屋の玄関などの壁に後付け設置が可能である。また、収納状態において、動きの悪い下方のリンクである横桟部材は上方のリンクである座板支持部材より手前側に予め傾斜しているから、フロント板兼用脚部材の把手の設置位置に関わらず、該把手を手前に引けば、必ず横桟部材が先に動きだし、リンクの動作が停止することはなく、確実に展開して椅子になる。この椅子として使用できる状態において、基板とフロント板兼用脚部材とは平行であり、安定である。
【００２１】
請求項２の発明によれば、フロント板兼用脚部材が木製であっても、水などで濡れることが多い玄関の床面と接するのは耐腐食性の幅木であり、フロント板兼用脚部材の耐久性を高めることができる。請求項３の発明によれば、フロント板兼用脚部材の微小な高さ調整が可能となる。
【図面の簡単な説明】
【図１】（Ａ）は壁付け用折り畳み椅子を展開し人が座れる状態にした図、（Ｂ）は折り畳み状態を示す図である。
【図２】壁付け用折り畳み椅子の主要部品の分解図である。
【図３】（Ａ）〜（Ｃ）は収納状態から使用状態までの各部材の動きを説明する図である。
【図４】図３の各リンクの関係を説明する図である。
【図５】壁面への他の設置形態を説明する図である。
【図６】従来の壁付け用折り畳み椅子各リンクの関係を説明する図である。
【符号の説明】
１          基板
２          座板支持部材
２Ａ、５１  座板部
３、５２    横桟部材
４、５３    枢支連結部（取付け部材）
５          座板
６          フロント板兼用脚部材
７          壁
８          把手
９          耐腐食性幅木
１０、１０ａ、５０  壁付け用折り畳み椅子
１１          基板支持部材
１２          位置固定部材
１３          ねじり型ダンパー
１４          止め金具
１５          枢支軸穴
１６          枢支軸
１８          高さ調整用アジャスター
３０、５５    壁の凹部
【図１】
0004548687.tif 000002
【図２】
0004548687.tif 000003
【図３】
0004548687.tif 000004
【図４】
0004548687.tif 000005
【図５】
0004548687.tif 000006
【図６】
0004548687.tif 000007